(57)【要約】【課題】環境条件による画像データの検索ができる撮像装置を提供する。【解決手段】カメラに温度センサ２２と湿度センサ２４が備えられている。撮影時には、その温度センサ２２と湿度センサ２４で検出された温度と湿度のデータが撮影した画像データに付加されて記録メディア１２０に記録される。再生時、温度、湿度又は温度と湿度を指定して検索すると、各画像データに付加された温度と湿度のデータに基づいて、指定された温度、湿度又は温度と湿度の画像データが検索され、その検索結果がモニタ３０に再生表示される。【選択図】      図３
2005151285.tif 000002
【特許請求の範囲】
【請求項１】
画像を撮像手段で撮像し、得られた画像データを記録メディアに記録する撮像装置において、
外気の湿度を検出する湿度検出手段と、
前記湿度検出手段で検出された湿度の情報を前記撮像手段から得られた画像データに付加して前記記録メディアに記録させる記録制御手段と、
前記記録メディアに記録されている画像データの検索キーワードとして湿度を入力する検索条件入力手段と、
前記記録メディアに記録されている各画像データの湿度情報と前記検索条件入力手段から入力された湿度を照合し、一致する画像データを抽出する画像データ抽出手段と、
前記画像データ抽出手段で抽出された画像データを表示手段に表示させる表示制御手段と、
を備えたことを特徴とする撮像装置。
【請求項２】
画像を撮像手段で撮像し、得られた画像データを記録メディアに記録する撮像装置において、
外気の温度を検出する温度検出手段と、
前記温度検出手段で検出された温度の情報を前記撮像手段から得られた画像データに付加して前記記録メディアに記録させる記録制御手段と、
前記記録メディアに記録されている画像データの検索キーワードとして温度を入力する検索条件入力手段と、
前記記録メディアに記録されている各画像データの温度情報と前記検索条件入力手段から入力された温度とを照合し、一致する画像データを抽出する画像データ抽出手段と、
前記画像データ抽出手段で抽出された画像データを表示手段に表示させる表示制御手段と、
を備えたことを特徴とする撮像装置。
【請求項３】
画像を撮像手段で撮像し、得られた画像データを記録メディアに記録する撮像装置において、
外気の温度を検出する温度検出手段と、
外気の湿度を検出する湿度検出手段と、
前記温度検出手段で検出された温度の情報と前記湿度検出手段で検出された湿度の情報とを付加情報として前記撮像手段から得られた画像データに付加して前記記録メディアに記録させる記録制御手段と、
前記記録メディアに記録されている画像データの検索キーワードとして温度、湿度又は温度と湿度を入力する検索条件入力手段と、
前記記録メディアに記録されている各画像データの付加情報と前記検索条件入力手段から入力された検索キーワードとを照合し、一致する画像データを抽出する画像データ抽出手段と、
前記画像データ抽出手段で抽出された画像データを表示手段に表示させる表示制御手段と、
を備えたことを特徴とする撮像装置。
【請求項４】
前記温度検出手段は、
撮像装置本体の外部に設けられた第１温度検出手段と、
前記撮像装置本体の内部に設けられた第２温度検出手段と、
前記第１温度検出手段の検出温度と前記第２温度検出手段の検出温度との温度差を算出する温度差演算手段と、
前記第１温度検出手段の検出温度と前記第２温度検出手段の検出温度との温度差に応じた前記第１温度検出手段の検出温度の補正情報が記憶された補正情報記憶手段と、
前記温度差演算手段で算出された温度差に応じた補正情報を前記補正情報記憶手段から取得し、前記第１温度検出手段の検出温度を補正する温度補正手段と、
からなり、前記温度補正手段で補正した前記第１温度検出手段の検出温度を外気の温度とすることを特徴とする請求項２又は３に記載の撮像装置。
【発明の詳細な説明】
【技術分野】
【０００１】
本発明は撮像装置に係り、特に記録メディアに記録された画像データの検索機能を備えた撮像装置に関する。
【背景技術】
【０００２】
一般にデジタルカメラで撮影された画像データはカメラボディに装填された交換可能なメモリカードに記録される。近年、このメモリカードの大容量化により、１枚のメモリカードに膨大な数の画像データの記録が可能になっている。
【０００３】
しかし、このように１枚のメモリカードに膨大な数の画像データが記録されると、撮影後の画像データの管理に手間がかかり、目的とする画像データを見つけづらくなるという問題がある。
【０００４】
そこで、たとえば特許文献１などでは、メモリカードに記録されている画像データのリストデータを画像データとは別に作成し、そのリストデータに各画像データの中身を認識するための特徴情報を記録しておくことにより、そのリストデータを使った検索ができるようにしている。
【特許文献１】特開２００２−５１２８０号公報
【発明の開示】
【発明が解決しようとする課題】
【０００５】
しかしながら、特許文献１の場合、特徴情報として記録されていない情報をキーワードとして画像データを検索することはできないという欠点がある。このため、温度や湿度の変化による開花状況の変化や服装の変化などを調べたい場合に、温度や湿度などの環境条件による検索ができないという欠点がある。
【０００６】
また、別途リストデータを作成しなければならないため、管理に手間がかかるという欠点もある。
【０００７】
本発明は、このような事情に鑑みてなされたもので、環境条件による画像データの検索ができる撮像装置を提供することを目的とする。
【課題を解決するための手段】
【０００８】
請求項１に係る発明は、前記目的を達成するために、画像を撮像手段で撮像し、得られた画像データを記録メディアに記録する撮像装置において、外気の湿度を検出する湿度検出手段と、前記湿度検出手段で検出された湿度の情報を前記撮像手段から得られた画像データに付加して前記記録メディアに記録させる記録制御手段と、前記記録メディアに記録されている画像データの検索キーワードとして湿度を入力する検索条件入力手段と、前記記録メディアに記録されている各画像データの湿度情報と前記検索条件入力手段から入力された湿度を照合し、一致する画像データを抽出する画像データ抽出手段と、前記画像データ抽出手段で抽出された画像データを表示手段に表示させる表示制御手段と、を備えたことを特徴とする撮像装置を提供する。
【０００９】
本発明によれば、撮像手段にて画像を撮像すると、その撮像手段から得られた画像データに湿度の情報が付加されて記録メディアに記録される。そして、検索キーワードとして湿度を指定して検索すると、その指定された湿度の画像データが記録メディアに記録されている画像データの中から抽出され、表示手段に表示される。
【００１０】
また、請求項２に係る発明は、前記目的を達成するために、画像を撮像手段で撮像し、得られた画像データを記録メディアに記録する撮像装置において、外気の温度を検出する温度検出手段と、前記温度検出手段で検出された温度の情報を前記撮像手段から得られた画像データに付加して前記記録メディアに記録させる記録制御手段と、前記記録メディアに記録されている画像データの検索キーワードとして温度を入力する検索条件入力手段と、前記記録メディアに記録されている各画像データの温度情報と前記検索条件入力手段から入力された温度とを照合し、一致する画像データを抽出する画像データ抽出手段と、前記画像データ抽出手段で抽出された画像データを表示手段に表示させる表示制御手段と、を備えたことを特徴とする撮像装置を提供する。
【００１１】
本発明によれば、撮像手段にて画像を撮像すると、その撮像手段から得られた画像データに温度の情報が付加されて記録メディアに記録される。そして、検索キーワードとして温度を指定して検索すると、その指定された温度の画像データが記録メディアに記録されている画像データの中から抽出され、表示手段に表示される。
【００１２】
また、請求項３に係る発明は、前記目的を達成するために、画像を撮像手段で撮像し、得られた画像データを記録メディアに記録する撮像装置において、外気の温度を検出する温度検出手段と、外気の湿度を検出する湿度検出手段と、前記温度検出手段で検出された温度の情報と前記湿度検出手段で検出された湿度の情報を付加情報として前記撮像手段から得られた画像データに付加して前記記録メディアに記録させる記録制御手段と、前記記録メディアに記録されている画像データの検索キーワードとして温度、湿度又は温度と湿度を入力する検索条件入力手段と、前記記録メディアに記録されている各画像データの付加情報と前記検索条件入力手段から入力された検索キーワードとを照合し、一致する画像データを抽出する画像データ抽出手段と、前記画像データ抽出手段で抽出された画像データを表示手段に表示させる表示制御手段と、を備えたことを特徴とする撮像装置を提供する。
【００１３】
本発明によれば、撮像手段にて画像を撮像すると、その撮像手段から得られた画像データに温度と湿度の情報が付加されて記録メディアに記録される。そして、検索キーワードとして温度又は湿度又は温度と湿度を指定して検索すると、その指定された温度、湿度又は温度と湿度の画像データが記録メディアに記録されている画像データの中から抽出され、表示手段に表示される。
【００１４】
また、請求項４に係る発明は、前記目的を達成するために、前記温度検出手段は、撮像装置本体の外部に設けられた第１温度検出手段と、前記撮像装置本体の内部に設けられた第２温度検出手段と、前記第１温度検出手段の検出温度と前記第２温度検出手段の検出温度との温度差を算出する温度差演算手段と、前記第１温度検出手段の検出温度と前記第２温度検出手段の検出温度との温度差に応じた前記第１温度検出手段の検出温度の補正情報が記憶された補正情報記憶手段と、前記温度差演算手段で算出された温度差に応じた補正情報を前記補正情報記憶手段から取得し、前記第１温度検出手段の検出温度を補正する温度補正手段と、からなり、前記温度補正手段で補正した前記第１温度検出手段の検出温度を外気の温度とすることを特徴とする請求項２又は３に記載の撮像装置を提供する。
【００１５】
本発明によれば、撮像装置の発熱による温度の測定誤差を排除し、正確な外気の温度を検出することができる。
【発明の効果】
【００１６】
本発明によれば、温度、湿度又は温度と湿度によって記録メディアに記録されている画像データを検索することができる。
【発明を実施するための最良の形態】
【００１７】
以下、添付図面に従って本発明に係る撮像装置を実施するための最良の形態について説明する。
【００１８】
図１、図２は、それぞれ本発明が適用されたデジタルカメラ１０の一実施形態を示す正面斜視図と背面斜視図である。
【００１９】
図１に示すように、カメラボディ１２の正面には、レンズ１４、ストロボ１６、ファインダ窓１８、セルフタイマランプ２０、温度センサ２２、湿度センサ２４等が設けられており、上面には、レリーズボタン２６、電源ボタン２８等が設けられている。
【００２０】
また、図２に示すように、カメラボディ１２の背面には、モニタ３０、ファインダ接眼部３２、ストロボボタン３４、マクロボタン３６、ズームレバー３８、表示ボタン４０、ＢＡＣＫボタン４２、メニュー／ＯＫボタン４６、十字ボタン４８、モードスイッチ５０等が設けられている。
【００２１】
レンズ１４は、沈胴式のズームレンズで構成されており、カメラのモードを撮影モードに設定し、電源を投入することにより、カメラボディ１２から繰り出される。
【００２２】
温度センサ２２と湿度センサ２４は、それぞれ外気の温度と湿度を検出する。撮影時には、この温度センサ２２と湿度センサ２４で外気の温度と湿度が検出され、検出された温度と湿度が、撮影された画像データに付属情報として付加される。
【００２３】
レリーズボタン２６は、半押しと全押しとからなる２段ストローク式のスイッチで構成されている。デジタルカメラ１０は、このレリーズボタン２６の半押しでＡＥ／ＡＦが作動し、全押しで撮影が行なわれる。
【００２４】
モニタ３０は、カラー表示可能な液晶ディスプレイで構成されており、このモニタ３０に記録済み画像が再生表示される。また、このモニタ３０は、ユーザインターフェースの表示画面として利用されるとともに、撮影時にはスルー画像が表示されて電子ビューファインダとしても利用される。
【００２５】
ストロボボタン３４は、ストロボモードの切り替えを指示するボタンとして機能し、このストロボボタン３４を１回押すごとに撮影中のストロボモードが「オートストロボ」→「赤目軽減ストロボ」→「強制発光ストロボ」→「スローシンクロ」→「ストロボ発光禁止」と切り替えられる。
【００２６】
マクロボタン３６は、マクロ機能のＯＮ／ＯＦＦの切り替えを指示するボタンとして機能し、このマクロボタン３６を１回押すごとに撮影中のマクロ機能のＯＮ／ＯＦＦが切り替えられる。
【００２７】
ズームレバー３８は、撮影時に撮影画像のズーム（テレ／ワイド）を指示するボタンとして機能するとともに、再生時に表示画像のズーム（拡大／縮小）を指示するボタンとして機能する。このズームレバー３８は、上下方向に揺動自在に設けられており、上方向に操作することにより、ズームがテレ側に操作され、下方向に操作することにより、ズームがワイド側に操作される。
【００２８】
表示ボタン４０は、モニタ３０の表示切り替えを指示するボタンとして機能し、撮影中、この表示ボタン４０を押すことにより、モニタ３０に表示されるスルー画像がオン／オフされる。また、再生中、この表示ボタンを押すことにより、通常再生から文字表示なしの再生、マルチ再生へと切り替えられる。
【００２９】
メニュー／ＯＫボタン４６は、各モードの通常画面からメニュー画面への遷移を指示するボタン（メニューボタン）として機能するとともに、選択内容の確定、実行を指示するボタン（ＯＫボタン）として機能し、ＢＡＣＫボタン４２は、入力操作のキャンセル等を指示するボタンとして機能する。
【００３０】
十字ボタン４８は、上下左右４方向の指示を入力するボタンとして機能し、メニュー画面などで所望の項目の選択などに使用される。
【００３１】
モードスイッチ５０は、カメラのモードの切り替えを指示するスイッチとして機能し、このモードスイッチ５０をスライド操作することにより、カメラのモードが「撮影モード」また「再生モード」に設定される。
【００３２】
図３は、図１及び図２に示したデジタルカメラ１０の内部の概略構成を示すブロック図である。
【００３３】
同図において、ＣＰＵ１００は、本カメラシステムの各回路を統括制御する制御部であり、ＲＯＭ１０２及びＲＡＭ１０４等の記憶手段を備えている。ＲＯＭ１０２には、ＣＰＵ１００が処理するプログラム及び制御に必要な各種データ等が格納され、ＲＡＭ１０４は、ＣＰＵ１００が各種の演算処理等を行う際の作業用エリアとして利用される。ＣＰＵ１００は、操作部（レリーズボタン２６、電源ボタン２８、ストロボボタン３４、マクロボタン３６、ズームレバー３８、表示ボタン４０、ＢＡＣＫボタン４２、メニュー／ＯＫボタン４６、十字ボタン４８、モードスイッチ５０等）１０６から出力された操作信号に基づき対応する回路の動作を制御し、レンズ駆動制御、撮影動作制御、画像処理制御、画像データの記録／再生制御、モニタ３０の表示制御などを行うとともに、自動露出（ＡＥ）演算、自動焦点調節（ＡＦ）演算、ホワイトバランス（ＷＢ）調整演算などの各種演算処理を実行する。
【００３４】
レンズ１４を通過した光は、ＣＣＤイメージセンサ（ＣＣＤ）１０８に入射する。ＣＣＤ１０８の受光面には、フォトセンサが平面的に配列されており、レンズ１４を介してＣＣＤ１０８の受光面に結像された被写体の光学像は、各フォトセンサによって入射光量に応じた量の信号電荷に変換される。
【００３５】
各フォトセンサに蓄積された信号電荷は、図示しないタイミングジェネレータから与えられる駆動パルスに基づいて信号電荷に応じた電圧信号（画像信号）として順次読み出され、アナログ信号処理部１１０に送られる。
【００３６】
アナログ信号処理部１１０は、サンプリングホールド回路、色分離回路、ゲイン調整回路、Ａ／Ｄ変換器等の信号処理回路を含み、このアナログ信号処理部１１０で入力された画像信号が、相関二重サンプリング処理並びにＲ、Ｇ、Ｂの各色信号に色分離処理され、各色信号の信号レベルの調整（プリホワイトバランス処理）が行われる。そして、デジタルの画像信号に変換されてＲＡＭ１０４に格納される。
【００３７】
ＲＡＭ１０４に格納された画像信号は、画像信号処理部１１２に送られる。画像信号処理部１１２は、輝度・色差信号生成回路、ガンマ補正回路、シャープネス補正回路、コントラスト補正回路、ホワイトバランス補正回路等を含むデジタルシグナルプロセッサ（ＤＳＰ）で構成され、ＣＰＵ１００からのコマンドに従って入力された画像信号を処理する。この画像信号処理部１１２に入力された画像信号は、輝度信号（Ｙ信号）及び色差信号（Ｃr,Ｃb 信号）に変換されるとともに、ガンマ補正等の所定の処理が施された後、ＲＡＭ１０４に格納される。
【００３８】
ＲＡＭ１０４に格納された画像データは、表示部１１４に入力される。表示部１１４は入力された画像データを表示用の所定方式の信号（例えば、ＮＴＳＣ方式のカラー複合映像信号）に変換してモニタ３０に出力する。
【００３９】
ＣＣＤ１０８から出力される画像信号によってＲＡＭ１０４内の画像データが定期的に書き換えられ、その画像データから生成される映像信号がモニタ３０に供給されることにより、ＣＣＤ１０８を介して入力される画像がリアルタイムにモニタ３０に表示される。撮影者は、このモニタ３０に映し出されるリアルタイム画像（スルー画像）によって撮影画角を確認することができる。
【００４０】
なお、表示部１１４は、ＯＳＤ信号発生回路を含み、ＯＳＤ信号発生回路はＣＰＵ１００からのコマンドに従ってシャッタ速度や絞り値、撮影可能枚数、撮影日時、警告メッセージ等の文字及び記号情報を表示するための信号を発生させる。このＯＳＤ信号発生回路から出力される信号は、必要に応じて画像信号に混合されて、モニタ３０に供給される。これにより、スルー画像や再生画像に文字等が合成された合成画像が表示される。
【００４１】
モードスイッチ５０にてカメラのモードが撮影モードに設定されると、デジタルカメラ１０は撮影が可能になる。この状態でレリーズボタン２６が半押しされると、ＣＰＵ１００にＳ１ＯＮ信号が発せられる。ＣＰＵ１００は、このＳ１ＯＮ信号を検知して、ＡＥ、ＡＦ動作を実行する。すなわち、ＣＰＵ１００は、被写体にピントが合うように、図示しないレンズ駆動部を制御するとともに、被写体の明るさを測定し、適正露出となるように絞り値とシャッタ速度を決定する。
【００４２】
この後、レリーズボタン２６が全押しされると、ＣＰＵ１００にＳ２ＯＮ信号が発せられ、ＣＰＵ１００は、このＳ２ＯＮ信号を検知して画像データの記録処理を開始する。
【００４３】
まず、レリーズボタン２６の半押し時に決定した絞り値、シャッタ速度となるように、図示しない絞り駆動部及びＣＣＤ１０８の電子シャッタを制御し、ＣＣＤ１０８からアナログ信号処理部１１０を介して１コマ分の画像信号をＲＡＭ１０４に取り込む。
【００４４】
また、これと同時に温度センサ２２から外気の温度データを取得するとともに、湿度センサ２４から外気の湿度データを取得する。
【００４５】
ＲＡＭ１０４に取り込まれた画像信号は、画像信号処理部１１２で所定の信号処理が施された後、再びＲＡＭ１０４に格納され、画像記録部１１６に送られる。
【００４６】
画像記録部１１６は、圧縮伸張処理回路を含み、圧縮伸張処理回路はＣＰＵ１００からのコマンドに従って入力された画像データをＪＰＥＧその他所定形式に従って圧縮する。そして、その圧縮した画像データのヘッダ部に温度データと湿度データを含む所定の付属情報を付加（たとえば、温度データは符号付き１バイト（−１２７℃〜＋１２８℃）のデータ、湿度情報は符号無し１バイト（０％〜１００％）のデータとして付加）して所定フォーマット、たとえばＥＸＩＦ形式の画像ファイルを生成する。
【００４７】
生成された画像ファイルは、画像記録部１１６からメディアインターフェース（メディアＩ／Ｆ）１１８を介して記録メディア１２０に記録される。記録メディア１２０としては、ｘＤピクチャーカード、スマートメディア、コンパクトフラッシュ、磁気ディスク、光ディスク、光磁気ディスク、メモリスティックなどの着脱可能なリムーバブルメディアの他、内蔵式の記録メディア（内部メモリ）であってもよい。
【００４８】
モードスイッチ５０にて再生モードが選択されると、記録メディア１２０に記録された画像の再生が可能になる。
【００４９】
モードスイッチ５０が再生モードに設定されると、ＣＰＵ１００は、これを検知して記録メディア１２０に最後に記録された画像ファイルの画像データを読み出す。読み出された画像データは、画像記録部１１６にて所要の伸張処理が施されたのち、表示部１１４を介してモニタ３０に出力される。これにより、記録メディア１２０に記録された画像の閲覧が可能になる。
【００５０】
画像のコマ送りは、十字ボタン４８で行なわれ、十字ボタン４８の右キーが押されると、次の画像がモニタ３０に再生表示される。そして、十字ボタン４８の左キーが押されると、前の画像がモニタ３０に再生表示される。
【００５１】
ところで、このような再生方式の場合、ユーザが見たいと思う画像を記録済み画像の中から探し出すためには、画像を１枚１枚コマ送りし、１枚１枚確認しながら探し出す必要がある。
【００５２】
しかしながら、このような手動による検索方式では、記録メディア１２０に記録された画像データの数が多くなると、目的とする画像ファイルに容易にアクセスできないという問題がある。
【００５３】
そこで、本実施の形態のデジタルカメラ１０には、画像ファイルの検索を容易にするために、撮影時の温度と湿度による画像の検索ができるようにされている。以下、この温度と湿度による画像検索について説明する。
【００５４】
画像検索の機能は、再生モードの一機能としてデジタルカメラ１０に備えられており、再生モードの下、再生メニューから呼び出される。
【００５５】
まず、モードスイッチ５０でカメラのモードを再生モードに設定し、メニュー／ＯＫボタン４６を押す。これにより、図４（ａ）に示すように、モニタ３０に再生メニューの画面が表示される。ここでは、再生メニューの項目として、画像を消去する「コマ消去」と、画像を検索する「コマ検索」の２項目が用意されているものとする。ユーザは、この再生メニューの項目の中から「コマ検索」を選択する。項目の選択は、十字ボタン４８の上キーと下キーで行い、十字ボタン４８を操作すると、選択項目を示すカーソルが移動する。そして、メニュー／ＯＫボタン４６で選択を確定する。
【００５６】
カーソルで「コマ検索」の項目を選択し、確定すると、モニタ３０の表示が切り替わり、図４（ｂ）に示すように、コマ検索のメニュー画面がモニタ３０に表示される。このコマ検索のメニュー画面では、コマ検索方法の選択される。すなわち、（１）温度を指定して検索する方法である「温度で検索」、（２）湿度を指定して検索する方法である「湿度で検索」、（３）温度と湿度を指定して検索する方法である「温度と湿度で検索」の３つの検索方法の中からユーザが希望する検索方法が選択される。項目の選択は、上記同様に十字ボタン４８の上キーと下キーで行い、十字ボタン４８を操作すると、選択項目を示すカーソルが移動する。そして、メニュー／ＯＫボタン４６で選択を確定する。
【００５７】
ここでは、「温度で検索」を選択するものとする。カーソルで「温度で検索」を選択し、確定すると、モニタ３０の表示が切り替わり、図５（ａ）に示すように、検索する温度の入力画面がモニタ３０に表示される。温度は、範囲を指定して入力することができ、温度の下限と上限が入力できるようにされている。
【００５８】
温度は、十字ボタン４８で行なわれる。すなわち、十字ボタン４８の右キーと左キーで温度の入力欄（温度の上限の入力欄と下限の入力欄）の選択が切り替えられ、上キーと下キーで選択された入力欄に表示される温度の数値が増減する。なお、現在選択されている方の温度の入力欄には、選択されていることを示すカーソルが入力欄の下部に表示される。また、温度の入力欄に表示される温度は、十字ボタン４８の上キーと下キーを１回押すごとにたとえば１℃単位で変化する。また、特定の温度を指定する場合は、上限の温度と下限の温度を同じ値に設定する。
【００５９】
このように検索する温度の上限と下限を入力し、メニュー／ＯＫボタン４６を押すと、検索が開始される。すなわち、ＣＰＵ１００は、記録メディア１２０に記録されている全画像ファイルに対して、付属情報として記録されている撮影時の温度データを読み出し、入力された温度範囲と照合する。そして、入力された温度範囲に一致する温度データを有する画像ファイルを抽出し、抽出した画像ファイルの画像を図５（ｂ）に示すように検索結果としてモニタ３０に再生表示させる。
【００６０】
ここで、検索結果として複数の画像ファイルが抽出された場合は、その画像ファイルの中で一番最初に記録メディア１２０に記録された画像ファイル（撮影順に付与されるファイル番号が一番若い画像ファイル）の画像がモニタ３０に再生表示される。
【００６１】
また、検索された画像の数を再生画像に重ねて表示させる。ここでは、図５（ｂ）に示すように、画面の右上に分数の形で表示され、分母に検索された画像の数、分子に再生順の数（何番目に再生された画像かを示す数）が表示されるものとする。
【００６２】
そして、十字ボタン４８の右キー又は左キーが押されることにより、抽出された画像ファイルの画像が順にコマ送りされて表示される。
【００６３】
このように、「コマ検索」のメニュー項目の中から「温度で検索」を選択することにより、撮影時の温度を検索キーワードとして画像を検索することができる。
【００６４】
次に、撮影時の湿度で検索する場合について説明する。撮影時の湿度で画像を検索する場合は、図４（ｂ）に示す「コマ検索」のメニュー項目の中から「湿度で検索」を選択する。
【００６５】
図４（ｂ）に示す「コマ検索」のメニュー項目の中から「湿度で検索」を選択し、実行すると、モニタ３０の表示が切り替わり、図６（ａ）に示すように、検索する湿度の入力画面が表示される。
【００６６】
湿度は、上記の温度の時と同様に範囲を指定して入力することができ、下限と上限が入力できるようにされている。
【００６７】
また、入力も上記の温度の時と同様に十字ボタン４８で行なわれる。すなわち、十字ボタン４８の右キーと左キーで湿度の入力欄（湿度の上限の入力欄と下限の入力欄）の選択が切り替えられ、上キーと下キーで選択された入力欄に表示される湿度の数値が増減する。入力欄に表示される湿度は、十字ボタン４８の上キーと下キーを１回押すごとにたとえば１％単位で変化する。
【００６８】
このように検索する湿度の上限と下限を入力し、メニュー／ＯＫボタン４６を押すと、検索が開始される。すなわち、ＣＰＵ１００は、記録メディア１２０に記録されている全画像ファイルに対して、付属情報として記録されている撮影時の湿度データを読み出し、入力された湿度範囲と照合する。そして、入力された湿度範囲に一致する湿度データを有する画像ファイルを抽出し、抽出した画像ファイルの画像を図６（ｂ）に示すように検索結果としてモニタ３０に再生表示させる。検索の結果、複数の画像ファイルが抽出された場合は、その画像ファイルの中で一番最初に記録メディア１２０に記録された画像ファイルの画像がモニタ３０に再生表示され、十字ボタン４８の右キー又は左キーで抽出された画像ファイルの画像が順にコマ送りされる。
【００６９】
このように、「コマ検索」のメニュー項目の中から「湿度で検索」を選択することにより、撮影時の湿度を検索キーワードとして画像を検索することができる。
【００７０】
次に、撮影時の温度と湿度で検索する場合について説明する。撮影時の温度と湿度で画像を検索する場合は、図４（ｂ）に示す「コマ検索」のメニュー項目の中から「温度と湿度で検索」を選択する。
【００７１】
図４（ｂ）に示す「コマ検索」のメニュー項目の中から「温度と湿度で検索」を選択し、実行すると、モニタ３０の表示が切り替わり、図７（ａ）に示すように、検索する温度と湿度の入力画面が表示される。
【００７２】
温度と湿度は、上記の温度の時と同様に範囲を指定して入力することができ、下限と上限が入力できるようにされている。
【００７３】
また、入力も上記の温度の時と同様に十字ボタン４８で行なわれる。すなわち、十字ボタン４８の右キーと左キーで温度と湿度の入力欄（温度の下限の入力欄→温度の上限の入力欄→湿度の上限の入力欄→湿度の下限の入力欄）の選択が切り替えられ、上キーと下キーで選択された入力欄に表示される温度又は湿度の数値が増減する。入力欄に表示される温度又は湿度は、十字ボタン４８の上キーと下キーを１回押すごとにたとえば１℃又は１％単位で変化する。
【００７４】
このように検索する温度と湿度の上限及び下限を入力し、メニュー／ＯＫボタン４６を押すと、検索が開始される。すなわち、ＣＰＵ１００は、記録メディア１２０に記録されている全画像ファイルに対して、付属情報として記録されている撮影時の温度データと湿度データとを読み出し、入力された温度及び湿度の範囲と照合する。そして、入力された温度と湿度の範囲に一致する温度データと湿度データを有する画像ファイルを抽出し、抽出した画像ファイルの画像を図７（ｂ）に示すように検索結果としてモニタ３０に再生表示させる。検索の結果、複数の画像ファイルが抽出された場合は、その画像ファイルの中で一番最初に記録メディア１２０に記録された画像ファイルの画像がモニタ３０に再生表示され、十字ボタン４８の右キー又は左キーで抽出された画像ファイルの画像が順にコマ送りされる。
【００７５】
このように、「コマ検索」のメニュー項目の中から「温度と湿度で検索」を選択することにより、撮影時の温度と湿度を検索キーワードとして画像を検索することができる。
【００７６】
以上説明したように、本実施の形態のデジタルカメラ１０によれば、撮影時に温度センサ２２及び湿度センサ２４から取得した温度データ及び湿度データを撮影した画像データに付加して記録することにより、撮影後に温度、湿度又は温度と湿度を検索キーワードとして検索することができる。これにより、たとえば、植物の成長を定期的に撮影した際、温度や湿度によって、どのように植物の成長が変化するかを容易に調べることができる。また、一般撮影においても、温度や湿度によって自分がどのような服装をしていたかを容易に調べることができるようになる。
【００７７】
なお、本実施の形態では、温度、湿度又は温度と湿度で画像データを検索するようにしているが、更に月又は季節を検索条件に加えてもよい。すなわち、画像データに撮影日時のデータを付加して記録し（したがって、撮影日時を計測するタイマをデジタルカメラに備える。）、その付加された撮影日時のデータを利用して、月又は季節を加えた検索できるようにする。
【００７８】
たとえば、月を検索条件に加える場合は、図８（ａ）に示すように、コマ検索のメニューとして、「月と温度で検索」、「月と湿度で検索」、「月と温度と湿度」で検索の３項目を新たに加えて検索できるようにしてもよい。この場合において、たとえば、「月と温度で検索」を選択した場合、検索条件の入力は、図８（ｂ）に示すように、検索する月の範囲と温度の範囲（上限と下限）を入力できるようにする。
【００７９】
また、たとえば、季節を検索条件に加える場合は、図９（ａ）に示すように、コマ検索のメニューとして、「季節と温度で検索」、「季節と湿度で検索」、「季節と温度と湿度」で検索の３項目を新たに加えて検索できるようにしてもよい。この場合において、たとえば、「季節と温度で検索」を選択した場合、検索条件の入力は、図９（ｂ）に示すように、検索する季節と温度の範囲（上限と下限）を入力できるようにする。季節は、たとえば３月〜５月を「春」、６月〜８月を「夏」、９月〜１１月を「秋」、１２月〜２月を「冬」とし、該当する月の画像データを検索する。
【００８０】
また、検索結果を絞り込むために、二次検索ができるようにしてもよい。すなわち、検索結果が多い場合は、検索結果の中から更に検索を実施し、二次検索ができるようにする。たとえば、図１０（ａ) に示すように、温度による検索の結果、図１０（ｂ）に示すように、多くの画像が検索された場合、その検索結果の画面でメニュー／ＯＫボタン４６を押すと、図１０（ｃ）に示すように、絞り込み検索の画面がモニタ３０に呼び出されるようにする。そして、図１０（ｄ）に示すように、絞り込みの検索条件を入力できるようにする（ここでは、「湿度で絞り込み検索」を選択）。ＣＰＵ１００は、１回目の検索結果の中から入力された検索条件に適合する画像データを検索する。
【００８１】
このように、二次検索を可能にすることにより、更に目的とする画像へのアクセスが容易になる。
【００８２】
図１１は、本発明が適用されたデジタルカメラの第２の実施の形態のブロック図である。
【００８３】
上記第１の実施の形態のデジタルカメラ１０は、カメラボディ１２に設置した温度センサ２２によって外気の温度を検出しているが、デジタルカメラ１０は使用により内部機器が発熱するため、その発熱の影響を受けて正確な外気の温度を検出できなくなるおそれがある。
【００８４】
そこで、本実施の形態のデジタルカメラでは、カメラボディの外部と内部の温度を検出し、その温度差に基づいて外部の温度（外気の温度）の検出値を補正することにより、発熱の影響をなくした正確な外気の温度を取得できるようにしている。
【００８５】
なお、温度センサが２つ設けられていること以外は、上述した第１の実施の形態のデジタルカメラ１０と同じ構成なので、同じ構成部材には同じ符号を付して、その説明は省略する。
【００８６】
図１１に示すように、カメラボディ１２には、カメラボティ１２の外部の温度（外気の温度）ＴOUT を検出する外部温度センサ２２Ａと、カメラボディ１２の内部の温度ＴINを検出する内部温度センサ２２Ｂが設けられている。この外部温度センサ２２Ａで検出されたカメラボディ１２の外部の温度ＴOUT と内部温度センサ２２Ｂで検出されたカメラボディ１２の内部の温度ＴINは、ＣＰＵ１００に入力される。
【００８７】
ＣＰＵ１００は、入力されたカメラボディ１２の外部の温度ＴOUT と内部の温度ＴINとの温度差ΔＴを求める。そして、その温度差ΔＴに対応する外部の温度ＴOUT の補正量ＴC をＲＯＭ１０２に記憶された補正テーブルから取得する。
【００８８】
ここで、ＲＯＭ１０２には、カメラボディ１２の外部の温度ＴOUT と内部の温度ＴINとの温度差ΔＴに応じて外部の温度ＴOUT の補正量ＴC が、補正テーブルとして、あらかじめ記憶されている。ＣＰＵ１００は、この補正テーブルに基づいて算出した温度差ΔＴに対応する外部の温度ＴOUT の補正量ＴC を取得する。そして、その取得した補正量ＴC を減算して真の外部の温度（外気の温度）Ｔを取得する（Ｔ＝ＴOUT −ＴC ）。
【００８９】
撮影時には、この真の外部の温度Ｔを撮影時の外気の温度として、撮影された画像データに付加する。
【００９０】
このように、本実施の形態のデジタルカメラ１０によれば、内部機器の発熱の影響を除去して正確な外気の温度を取得することができる。これにより、正確な外気の記録を行なうことができる。
【００９１】
なお、本実施の形態では、温度差ΔＴに基づく外部の温度ＴOUT の補正量ＴC をあらかじめＲＯＭ１０２に記憶された補正テーブルから取得したが、演算式から求めるようにしてもよい。すなわち、温度差ΔＴに基づく外部の温度ＴOUT の補正量ＴC を求める演算式ＴC ＝Ｆ（ΔＴ）をあらかじめＲＯＭ１０２に記憶させておき、この演算式から補正量ＴC を求めるようにしてもよい。
【００９２】
また、上記の実施の形態では、１台のデジタルカメラに温度センサと湿度センサの双方を備えた場合を例に説明したが、温度センサと湿度センサのいずれか一方だけを備えた構成にしてもよい。この場合、温度センサのみを備えたデジタルカメラにおいては、温度の情報が撮影した画像データに付加されて記録メディアに記録される。そして、画像検索時には、温度だけを検索キーワードとして画像を検索する。また、湿度センサのみを備えたデジタルカメラにおいては、湿度の情報が撮影した画像データに付加されて記録メディアに記録される。そして、画像検索時には、湿度だけを検索キーワードとして画像を検索する。
【００９３】
また、上記実施の形態では、本発明をデジタルカメラに適用した場合を例に説明したが、本発明は撮影機能を備えた携帯電話機やＰＤＡ等にも同様に適用することができる。
【図面の簡単な説明】
【００９４】
【図１】デジタルカメラの正面斜視図
【図２】デジタルカメラの背面斜視図
【図３】デジタルカメラの内部の概略構成を示すブロック図
【図４】検索時のモニタの表示例を示す図
【図５】検索時のモニタの表示例を示す図
【図６】検索時のモニタの表示例を示す図
【図７】検索時のモニタの表示例を示す図
【図８】他の実施の形態の検索時のモニタの表示例を示す図
【図９】他の実施の形態の検索時のモニタの表示例を示す図
【図１０】他の実施の形態の検索時のモニタの表示例を示す図
【図１１】第２の実施の形態のデジタルカメラの内部の概略構成を示すブロック図
【符号の説明】
【００９５】
１０…デジタルカメラ、１２…カメラボディ、１４…レンズ、１６…ストロボ、１８…ファインダ窓、２０…セルフタイマランプ、２２…温度センサ、２２Ａ…外部温度センサ、２２Ｂ…内部温度センサ、２４…湿度センサ、２６…レリーズボタン、２８…電源ボタン、３０…モニタ、３２…ファインダ接眼部、３４…ストロボボタン、３６…マクロボタン、３８…ズームレバー、４０…表示ボタン、４２…ＢＡＣＫボタン、４６…メニュー／ＯＫボタン、４８…十字ボタン、５０…モードスイッチ、１００…ＣＰＵ、１０２…ＲＯＭ、１０４…ＲＡＭ、１０６…操作部、１０８…ＣＣＤイメージセンサ（ＣＣＤ）、１１０…アナログ信号処理部、１１２…画像信号処理部、１１４…表示部、１１６…画像記録部、１１８…メディアインターフェース（メディアＩ／Ｆ）、１２０…記録メディア
【図１】
2005151285.tif 000003
【図２】
2005151285.tif 000004
【図３】
2005151285.tif 000005
【図４】
2005151285.tif 000006
【図５】
2005151285.tif 000007
【図６】
2005151285.tif 000008
【図７】
2005151285.tif 000009
【図８】
2005151285.tif 000010
【図９】
2005151285.tif 000011
【図１０】
2005151285.tif 000012
【図１１】
2005151285.tif 000013